(57)【要約】【課題】    畝方向に連続し、畝方向に対して垂直な任意の平面による断面において頂部とその両側に存する一対の側面とを有する同じ外面形状を有する畝部の外面に取り付けられて支持物を支持することができる支持具を提供する。【解決手段】所定方向である畝方向に連続し、畝方向に対して垂直な任意の平面による断面において頂部とその両側に存する一対の側面とを有する同じ外面形状を有する畝部の外面に取り付けられ、支持物を支持する支持具であって、該一対の側面のうちの一方側面に連続して当接する一方当接面を有する一方側面板と、該一対の側面のうちの他方側面に連続して当接する他方当接面を有する他方側面板と、を含み、頂部に跨がるように取り付けられる取付部と、支持物を直接又は間接に固定すると共に取付部に対して直接又は間接に取り付けられる支持部と、を備えてなる、支持具である。【選択図】  図８
2015090040.tif 000002
【特許請求の範囲】
【請求項１】
所定方向である畝方向に連続し、畝方向に対して垂直な任意の平面による断面において頂部とその両側に存する一対の側面とを有する同じ外面形状を有する畝部の外面に取り付けられ、支持物を支持する支持具であって、
該一対の側面のうちの一方側面に連続して当接する一方当接面を有する一方側面板と、該一対の側面のうちの他方側面に連続して当接する他方当接面を有する他方側面板と、を含み、頂部に跨がるように取り付けられる取付部と、
支持物を直接又は間接に固定すると共に取付部に対して直接又は間接に取り付けられる支持部と、
を備えてなる、支持具。
【請求項２】
一方側面板の両主表面のうち一方当接面を形成する内面とは反対の外面のうち一方当接面の裏面の少なくとも一部を覆う一方覆い部材を係止する一方覆い係止部を有し、及び／又は他方側面板の両主表面のうち他方当接面を形成する内面とは反対の外面のうち他方当接面の裏面の少なくとも一部を覆う他方覆い部材を係止する他方覆い係止部を有するものである、請求項１に記載の支持具。
【請求項３】
一方覆い係止部及び／又は他方覆い係止部が、前記支持具が畝部に取り付けられる際に畝方向と略平行な一対の溝により形成されるものである、請求項２に記載の支持具。
【請求項４】
一方覆い部材及び／又は他方覆い部材が前記一対の溝に嵌入される一対の突条を有し、該一対の突条を前記一対の溝から畝方向に対して垂直方向に抜き取ることが一方覆い部材及び／又は他方覆い部材の変形を要するものである、請求項３に記載の支持具。
【請求項５】
支持部が支持物を固定する位置が畝方向に沿って連続的に可変である、請求項１乃至４のいずれか１に記載の支持具。
【請求項６】
支持部が、支持物を固定するための固定具を畝方向に沿ってスライド自在に保持する固定具保持溝を有するものである、請求項５に記載の支持具。
【請求項７】
畝部と、
請求項２乃至４のいずれか１に記載の支持具と、
一方覆い係止部に係止された一方覆い部材と、
他方覆い係止部に係止された他方覆い部材と、
一方覆い部材により覆われた一方側面板の外面の部分と内面とを貫通し一方側面板と一方側面とを連結する一方貫通部材と、
他方覆い部材により覆われた他方側面板の外面の部分と内面とを貫通し他方側面板と他方側面とを連結する他方貫通部材と、
を備えてなる、支持物を支持する支持構造。
【請求項８】
畝部が折板屋根の上面に形成され、支持物が太陽電池パネルである、請求項７に記載の支持構造。
【請求項９】
一方覆い部材及び／又は他方覆い部材と、請求項２乃至４のいずれか１に記載の支持具と、を含んでなるセット。
【請求項１０】
請求項４に記載の支持具に係止される前記一対の突条を有する一方覆い部材又は他方覆い部材であって、
一方側面板又は他方側面板の外面に面する面のうち、該一対の突条の間の少なくとも一部が一方側面板又は他方側面板の外面から該一対の突条よりも遠ざかっている部分を有するものである、一方覆い部材又は他方覆い部材。
【発明の詳細な説明】
【技術分野】
【０００１】
本発明は、支持具に関し、より詳細には、所定方向である畝方向に連続し、畝方向に対して垂直な任意の平面による断面において頂部とその両側に存する一対の側面とを有する同じ外面形状を有する畝部の外面に取り付けられ、支持物を支持する支持具に関する。
【背景技術】
【０００２】
以前から、折板屋根が有するような畝部に取り付けられ支持物を支持する支持具が用いられてきた（例えば、特許文献１参照）。
特許文献１は、「折板、スレート等の屋根に屋根設置物を可及的簡易に安定且つ確実に据付設置し得るようにした据付部材としてのかぶせボルトを提供するにあり、また、これを用いた折板、スレート等屋根の屋根設置物据付構造を提供する」（特許文献１の段落番号０００５）ためになされたものであり、具体的には「この種の折板、スレート等の屋根には、その葺設に用いたボルトやフックボルトのボルト軸が屋根材上に突出していることに着目し、この突出したボルト軸を屋根設置物を据付する屋根側設置部位として、該ボルト軸を被嵌螺装するかぶせボルトを配置し、このかぶせボルトによって支持部材を締着固定することによって、屋根設置物の据付設置を行うようにしたものであって、即ち、請求項１に記載の発明を、ボルトナット締着によって屋根材を葺設した折板、スレート等の屋根上に太陽電池モジュール、緑化ベース等の屋根設置物を据付設置するに用いるかぶせボルトであって、上記ボルトナットの屋根材上突出のボルト軸を内周に雌ネジ配置の貫通孔に被嵌螺装し且つ外周配置の雄ネジによって屋根設置物の支持部材を締着固定自在としてなることを特徴とする屋根設置物据付用かぶせボルトとしたもの」（特許文献１の段落番号０００６）を開示しており、かかる屋根設置物据付用かぶせボルトによれば「この種のスレート等の屋根におけるその葺設に用いて屋根材上に突出したボルトやフックボルトのボルト軸を屋根設置物を据付する屋根側設置部位として、該ボルト軸を被嵌螺装するかぶせボルトを配置し、このかぶせボルトによって支持部材を締着固定して、屋根設置物の据付を可能とすることにより、この種の折板、スレート等の屋根に屋根設置物を可及的簡易に安定且つ確実に据付設置し得るようにした据付部材としてのかぶせボルトを提供することができる。」（特許文献１の段落番号００１２）というものである。
【先行技術文献】
【特許文献】
【０００３】
【特許文献１】特開２０１３−５３４１０号公報（例えば、要約、発明の詳細な説明中の段落番号０００１〜００１６、第１図〜第４図等）
【発明の概要】
【発明が解決しようとする課題】
【０００４】
特許文献１の屋根設置物据付用かぶせボルトは、上述の如く、葺設に用いて屋根材上に突出したボルトやフックボルトのボルト軸を被嵌螺装すると共に、このかぶせボルトによって支持部材を締着固定して、屋根設置物の据付を可能とすることにより、折板屋根に屋根設置物を可及的簡易に安定且つ確実に据付設置し得るものである。このためこの方法により折板屋根に屋根設置物を据付設置するには折板屋根が葺設に用いて屋根材上に突出したボルトやフックボルトのボルト軸を有する必要があり、さらに該ボルト軸を有する場合であっても更に該ボルト軸が十分な強度を要しかぶせボルトがうまく被嵌螺装できるような形状及び寸法を有する必要がある。このように特許文献１の屋根設置物据付用かぶせボルトを用いる場合は、屋根設置物据付用かぶせボルトを被嵌螺装するのに適したボルト軸が存在するものでないと適用できず、またボルト軸の位置により屋根設置物据付位置が限定されるという問題があった。
そこで、本発明では、所定方向である畝方向に連続し、畝方向に対して垂直な任意の平面による断面において頂部とその両側に存する一対の側面とを有する同じ外面形状を有する畝部（特許文献１においては折板屋根が形成する畝）であれば広く畝部の外面に取り付けられて支持物を支持することができる支持具を提供することを目的とする。
【課題を解決するための手段】
【０００５】
本発明の支持具（以下、「本支持具」という）は、所定方向である畝方向に連続し、畝方向に対して垂直な任意の平面による断面において頂部とその両側に存する一対の側面とを有する同じ外面形状を有する畝部の外面に取り付けられ、支持物を支持する支持具であって、該一対の側面のうちの一方側面に連続して当接する一方当接面を有する一方側面板と、該一対の側面のうちの他方側面に連続して当接する他方当接面を有する他方側面板と、を含み、頂部に跨がるように取り付けられる取付部と、支持物を直接又は間接に固定すると共に取付部に対して直接又は間接に取り付けられる支持部と、を備えてなる、支持具である。
本支持具は、畝部（支持物を支持した本支持具を支持する）の外面に取り付けられ、支持物を支持する支持具である。畝部は所定方向である畝方向に連続するものであると共に、畝部は畝方向に対して垂直な任意の平面による断面において頂部（該断面において点及び線のいずれで表されるものも含む）とその両側に存する一対の側面とを有する同じ外面形状を有する（即ち、畝部は、それが連続する方向である畝方向に対する垂直な断面における外面が、頂部とその両側に存する一対の側面とを有する同じ形状を形成し、いわゆる折板屋根の上面に互いに略平行に形成される畝等を代表例として挙げることができる。）。
本支持具は、取付部と、支持部と、を備えてなる。
取付部は一方側面板と他方側面板とを含む。一方側面板は、畝部の頂部の両側に存する該一対の側面のうちの一方側面に畝方向に連続して当接する一方当接面を有する。他方側面板は、畝部の頂部の両側に存する該一対の側面のうちの他方側面に畝方向に連続して当接する他方当接面を有する。これら一方側面板の一方当接面が畝部の一方側面に当接すると共に他方側面板の他方当接面が畝部の他方側面に当接するように取付部が畝部の頂部に跨がるように取り付けられる。
支持部は、支持物を直接（支持部と支持物との間に他のものが介在しない）又は間接（支持部と支持物との間に他のものが介在する）に固定すると共に取付部に対して直接（他のものが介在しない）又は間接（他のものが介在する）に取り付けられる。これにより畝部に取り付けられた取付部に取り付けられた支持部により支持物が畝部に対して固定される。
このように本支持具は、畝方向に連続し、畝方向に対して垂直な任意の平面による断面において頂部とその両側に存する一対の側面とを有する同じ外面形状を有する畝部であれば広く取り付けて用いることができるので、高い自由度で畝部の外面に取り付けて支持物を支持することができる（例えば、特許文献１のように、葺設に用いて屋根材上に突出したボルトやフックボルトのボルト軸の有無や位置を問わない。）。また、一方当接面が一方側面に面当接すると共に他方当接面が他方側面に面当接することによって畝部に取付部が確実かつ高い強度で取り付けられることにより、畝部に対して本支持具が支持物を確実かつ高い強度で支持することができる。
【０００６】
本支持具においては、一方側面板の両主表面のうち一方当接面を形成する内面とは反対の外面のうち一方当接面の裏面の少なくとも一部を覆う一方覆い部材を係止する一方覆い係止部を有し、及び／又は他方側面板の両主表面のうち他方当接面を形成する内面とは反対の外面のうち他方当接面の裏面の少なくとも一部を覆う他方覆い部材を係止する他方覆い係止部を有するもの（以下、「覆い係止部本支持具」という。）であってもよい。
本支持具では、一方側面板の一方当接面が畝部の一方側面に当接するので、一方側面板の外面の部分と内面（該内面の一部又は全部が一方当接面を形成する）とを貫通し一方側面板と一方側面とを連結する一方貫通部材を配設することで、一方側面板と畝部とを確実かつ強固に連結することができる。かかる場合、一方貫通部材が一方側面板を貫通すると共に一方貫通部材の先端側が畝部の一方側面から内部に進入するので、一方貫通部材に沿って水分（例えば雨水）やゴミ等が一方側面板の貫通孔、畝部の表面や内部に進入する場合があり、問題（例えば、水分により錆発生や雨漏り）の原因となり得ることがある。同様に、他方側面板の他方当接面が畝部の他方側面に当接するので、他方側面板の外面の部分と内面（該内面の一部又は全部が他方当接面を形成する）とを貫通し他方側面板と他方側面とを連結する他方貫通部材を配設することで、他方側面板と畝部とを確実かつ強固に連結することができる。かかる場合、他方貫通部材が他方側面板を貫通すると共に他方貫通部材の先端側が畝部の他方側面から内部に進入するので、他方貫通部材に沿って水分（例えば雨水）やゴミ等が他方側面板の貫通孔、畝部の表面や内部に進入する場合があり、問題（例えば、水分により錆発生や雨漏り）の原因となり得ることがある。これらの問題を防止するため、一方側面板の外面（一方側面板の両主表面のうち一方当接面を形成する内面とは反対の面）のうち一方当接面の裏面となる部分の少なくとも一部（一方貫通部材が貫入される一方側面板に形成された貫入孔が開口する一方側面板の外面の部分）を覆う一方覆い部材を設けるようにすれば、一方貫通部材が貫入される一方側面板の貫入孔が開口する外面の部分に水分やゴミ等が接触することを防止又は減少させることができる（一方貫通部材に水分（例えば雨水）やゴミ等が付着することを防止又は減少させることができる。）。同様に、他方側面板の外面（他方側面板の両主表面のうち他方当接面を形成する内面とは反対の面）のうち他方当接面の裏面となる部分の少なくとも一部（他方貫通部材が貫入される他方側面板に形成された貫入孔が開口する他方側面板の外面の部分）を覆う他方覆い部材を設けるようにすれば、他方貫通部材が貫入される他方側面板の貫入孔が開口する外面の部分に水分やゴミ等が接触することを防止又は減少させることができる（他方貫通部材に水分（例えば雨水）やゴミ等が付着することを防止又は減少させることができる。）。本支持具が、これら一方覆い部材を係止する一方覆い係止部を有し、及び／又は他方覆い部材を係止する他方覆い係止部を有するようにすることで、一方貫通部材や他方貫通部材を配設する等して一方覆い部材及び／又は他方覆い部材を要する場合には、一方覆い部材及び／又は他方覆い部材が一方覆い係止部及び／又は他方覆い係止部により適した位置に確実に保持され、上述の問題を確実に防止又は減少させることができる。
なお、ここにいう一方及び他方の「覆い部材を係止する」とは、覆い部材の一部と本支持具の一部との一方が他方に嵌入（貫入を含む）されたり、該一方と該他方とをスナップ嵌合させたり、該一方と該他方とを互いに係脱可能な面ファスナーにより取り付けたりすることを含む。
【０００７】
覆い係止部本支持具の場合、一方覆い係止部及び／又は他方覆い係止部が、前記支持具が畝部に取り付けられる際に畝方向と略平行な一対の溝により形成されるもの（以下、「溝係止部本支持具」という。）であってもよい。
こうすることで、一方覆い部材を係止する一方覆い係止部が、本支持具が畝部に取り付けられる際に畝方向と略平行な一対の溝により形成されるので、一方当接面が一方側面に連続して当接する方向である畝方向に沿って一方覆い部材を自由（例えば、畝方向に連続して一方覆い部材を配設したり、畝方向に沿った所定位置のみに一方覆い部材を配設する等）に配設することができ、一方貫通部材が貫入される一方側面板の貫入孔が開口する外面の部分に水分やゴミ等が接触することを確実かつ容易に防止又は減少させることができる。同様に、他方覆い部材を係止する他方覆い係止部が、本支持具が畝部に取り付けられる際に畝方向と略平行な一対の溝により形成されるので、他方当接面が他方側面に連続して当接する方向である畝方向に沿って他方覆い部材を自由（例えば、畝方向に連続して他方覆い部材を配設したり、畝方向に沿った所定位置のみに他方覆い部材を配設する等）に配設することができ、他方貫通部材が貫入される他方側面板の貫入孔が開口する外面の部分に水分やゴミ等が接触することを確実かつ容易に防止又は減少させることができる。
【０００８】
溝係止部本支持具の場合、一方覆い部材及び／又は他方覆い部材が前記一対の溝に嵌入される一対の突条を有し、該一対の突条を前記一対の溝から畝方向に対して垂直方向に抜き取ることが一方覆い部材及び／又は他方覆い部材の変形を要するもの（以下、「突条覆い部材本支持具」という。）であってもよい。
こうすることで、一方覆い係止部及び／又は他方覆い係止部を構成する前記一対の溝に嵌入される一対の突条を一方覆い部材及び／又は他方覆い部材が有するので、該一対の溝に該一対の突条を嵌入することで一方覆い部材及び／又は他方覆い部材を容易かつ確実に係止させることができる。そして、該一対の突条を前記一対の溝から畝方向に対して垂直方向に抜き取るためには一方覆い部材及び／又は他方覆い部材の変形（例えば、該一対の突条の間の距離が増加又は減少する等）を要するので、一方覆い部材及び／又は他方覆い部材が一方覆い係止部及び／又は他方覆い係止部に係止された状態（該一対の溝に該一対の突条を嵌入した状態）から一方覆い部材及び／又は他方覆い部材を外すには一方覆い部材及び／又は他方覆い部材の変形による抵抗を伴うため不意に一方覆い部材及び／又は他方覆い部材が脱落することを防止又は減少させることができる。
【０００９】
本支持具においては、支持部が支持物を固定する位置が畝方向に沿って連続的に可変（以下、「位置可変本支持具」という。）であってもよい。
こうすることで、本支持具が支持する支持物の位置を畝方向に沿って連続的に調節できるので、支持物をうまく支持することができる。
【００１０】
位置可変本支持具の場合、支持部が、支持物を固定するための固定具を畝方向に沿ってスライド自在に保持する固定具保持溝を有するものであってもよい。
こうすることで、支持部が有する固定具保持溝に、支持物を固定するための固定具が畝方向に沿ってスライド自在に保持されることから、支持物を固定具（例えば、ナット、ボルト、金具等）により固定する場合に固定具を畝方向に沿ってスライドさせることで本支持具が支持する支持物の位置を畝方向に沿って連続的にうまく調節することができる。
【００１１】
本発明は、覆い係止部本支持具を用いた支持物を支持する支持構造（以下、「本構造」という。）も提供する。
本構造は、畝部と、覆い係止部本支持具と、一方覆い係止部に係止された一方覆い部材と、他方覆い係止部に係止された他方覆い部材と、一方覆い部材により覆われた一方側面板の外面の部分と内面とを貫通し一方側面板と一方側面とを連結する一方貫通部材と、他方覆い部材により覆われた他方側面板の外面の部分と内面とを貫通し他方側面板と他方側面とを連結する他方貫通部材と、を備えてなる、支持物を支持する支持構造である。
こうすることで、一方側面板の一方当接面が畝部の一方側面に当接した状態で一方貫通部材が一方側面板の外面の部分と内面とを貫通し一方側面板と一方側面とを連結すると共に、他方側面板の他方当接面が畝部の他方側面に当接した状態で他方貫通部材が他方側面板の外面の部分と内面とを貫通し他方側面板と他方側面とを連結する。そして、一方覆い係止部に係止された一方覆い部材が、一方貫通部材が貫通した一方側面板の外面の部分を覆うことで、一方貫通部材に沿って水分（例えば雨水）やゴミ等が一方側面板の貫通孔や畝部の表面や内部に進入することを防止又は減少させ、問題（例えば、水分による錆発生や雨漏り）の発生を防止又は減少させることができる。同様に、他方覆い係止部に係止された他方覆い部材が、他方貫通部材が貫通した他方側面板の外面の部分を覆うことで、他方貫通部材に沿って水分（例えば雨水）やゴミ等が他方側面板の貫通孔や畝部の表面や内部に進入することを防止又は減少させ、問題（例えば、水分による錆発生や雨漏り）の発生を防止又は減少させることができる。無論、覆い係止部本支持具の支持部が支持物を支持するものである。なお、ここにいう一方及び他方の「覆い部材を係止する」ことは、前述のものと同様である。
【００１２】
本構造においては、畝部が折板屋根の上面に形成され、支持物が太陽電池パネルであってもよい。
こうすることで、工場や商業用施設等のような建物に多用されている折板屋根の上面に形成された畝部に覆い係止部本支持具を取り付け、そして支持物としての太陽電池パネルを支持することができるので、折板屋根に照射される日光を用いて発電することができる。また、一方貫通部材や他方貫通部材（例えば、ビス、ボルト等）の先端が折板屋根に貫通孔を形成しても、一方覆い部材及び他方覆い部材により一方貫通部材や他方貫通部材に沿って水分（例えば雨水）やゴミ等が一方及び他方の両側面板の貫通孔や畝部の表面や内部に進入することを防止又は減少させ、問題（例えば、水分による錆発生や雨漏り）の発生を防止又は減少させることができる。
【００１３】
本発明は、覆い部材と覆い係止部本支持具とを含んでなるセット（以下、「本セット」という。）も提供する。
即ち、本セットは、一方覆い部材及び／又は他方覆い部材と、覆い係止部本支持具と、を含んでなるセットである。
かかる本セットによれば、覆い係止部本支持具を一方貫通部材や他方貫通部材（例えば、ビス、ボルト等）によって畝部に固定した後、一方覆い部材を一方覆い係止部に係止させると共に他方覆い部材を他方覆い係止部に係止させることで容易かつ迅速に本構造を形成できる。
【００１４】
本発明は、突条覆い部材本支持具に係止される前記一対の突条を有する一方覆い部材又は他方覆い部材（以下、「本覆い部材」という。）も提供する。
本覆い部材は、突条覆い部材本支持具に係止される前記一対の突条を有する一方覆い部材又は他方覆い部材であって、一方側面板又は他方側面板の外面に面する面のうち、該一対の突条の間の少なくとも一部が一方側面板又は他方側面板の外面から該一対の突条よりも遠ざかっている部分を有するものである、一方覆い部材又は他方覆い部材である。
一方覆い部材又は他方覆い部材の該一対の突条の間には一方貫通部材や他方貫通部材が配設されるが、一方側面板又は他方側面板の外面に面する面のうち、該一対の突条の間の少なくとも一部が一方側面板又は他方側面板の外面から該一対の突条よりも遠ざかっている部分を有するようにすれば、該遠ざかっている部分に一方及び他方の貫通部材が位置するようにすることで一方及び他方の貫通部材と一方覆い部材又は他方覆い部材とが干渉（衝突）しないようにすることができ、一方覆い部材又は他方覆い部材によって、一方又は他方の貫通部材が貫通した一方又は他方の側面板の外面の部分をうまく覆うことができる。
【図面の簡単な説明】
【００１５】
【図１】本発明の第１実施形態に係る第１本支持具の斜視図である。
【図２】第１本支持具の正面図である。
【図３】第１本支持具の平面図である。
【図４】図３のＹ−Ｙ断面図である。
【図５】一例の折板屋根を示す概略図である。
【図６】第１本支持具の使用方法の第１工程を示す図である。
【図７】第１本支持具の使用方法の第２工程を示す図である。
【図８】本発明の第２実施形態に係る第２本支持具の斜視図である。
【図９】第２本支持具の正面図である。
【図１０】第２本支持具の平面図である。
【図１１】図１０のＹ−Ｙ断面図である。
【図１２】第２本支持具を構成するカバー部の斜視図である。
【図１３】カバー部の正面図である。
【図１４】カバー部の平面図である。
【図１５】図１４のＹ−Ｙ断面図である。
【図１６】第２本支持具の使用方法を示す図である。
【発明を実施するための形態】
【００１６】
以下、本発明の実施の形態を図面を参照して説明する。しかしながら、これらによって本発明は何ら制限されるものではない。
【００１７】
（第１実施形態）
図１は、本発明の第１実施形態に係る第１の支持具（第１本支持具）２１の斜視図であり、図２は第１本支持具２１の正面図（図１中の矢印Ａ方向から見たところを示している。）であり、図３は第１本支持具２１の平面図（図１中の矢印Ｂ方向から見たところを示している。）であり、そして図４は図３のＹ−Ｙ断面図である。
第１本支持具２１の連続方向（図中、矢印Ｌとして示す。連続方向Ｌは通常は長手方向である。）に沿った寸法は、第１本支持具２１を固定する折板屋根（不図示）の畝の長さや支持物（不図示）の寸法に応じて適宜定められるが、ここでは図示や理解を容易にするため該寸法を短く図示している。また、第１本支持具２１は、平面Ｐに対して面対称に略なっている（平面Ｐが対称面をなす。なお、平面Ｐは連続方向Ｌに対して平行な平面である。）。
【００１８】
図１乃至図４を参照して、第１本支持具２１について説明する。
第１本支持具２１は、ここではアルミニウムの押し出し形材（連続方向Ｌに沿って押し出し成形される。）により一体に形成されており、連続方向Ｌに対して垂直ないずれの断面も図４と同じ断面形状（図２の正面形状と同じ）を有している。
第１本支持具２１は、一対の取付板２２ａ、２２ｂを含む取付部２２と、連続方向Ｌに沿って連続する嵌入溝２４を有する支持部２５と、取付部２２と支持部２５とを連結する連結部２６と、を有してなり、折板屋根（不図示）の上に固定され支持物（不図示）を支持するために用いられる。
【００１９】
取付部２２は、折板屋根の畝部が有する両側面の一側面に当接する内面２３ａ（平面に沿っている）を有する取付板２２ａと、該両側面の他側面に当接する内面２３ｂ（平面に沿っている）を有する取付板２２ｂと、を含んでなり、内面２３ａ、２３ｂは連続方向Ｌに対して垂直ないずれの断面においても同じ等脚台形（該等脚台形の両底のいずれも平面Ｐに垂直である。）の両脚に略沿っている（換言すれば、該等脚台形を底面とする角柱（該角柱のいずれの側面も底面に垂直である。）の相対する一対の側面に内面２３ａ、２３ｂは沿っている。）。取付板２２ａの外面には連続方向Ｌに連続して窪み２３ｄａが形成されることで肉薄部２３ｔａが構成されていると共に、取付板２２ｂの外面には連続方向Ｌに連続して窪み２３ｄｂが形成されることで肉薄部２３ｔｂが構成されている。この窪み２３ｄａの一縁に沿って連続方向Ｌに連続して一縁嵌入溝２３ｃａ１が形成されると共に窪み２３ｄａの他縁に沿って連続方向Ｌに連続して他縁嵌入溝２３ｃａ２が形成されている。同様に、窪み２３ｄｂの一縁に沿って連続方向Ｌに連続して一縁嵌入溝２３ｃｂ１が形成されると共に窪み２３ｄｂの他縁に沿って連続方向Ｌに連続して他縁嵌入溝２３ｃｂ２が形成されている。
【００２０】
支持部２５は、嵌入溝２４を挟んで両側に一対の支持本体部２５ａ、２５ｂを有している。支持本体部２５ａ、２５ｂはいずれも連続方向Ｌに沿った中空の角棒状の形状を有しており、それらの上面２５ａａ、２５ｂａは平面Ｐに対して垂直な平面に略沿っている。
支持本体部２５ａから支持本体部２５ｂに向かって突出するように上突条２５ａｓ１及び下突条２５ａｓ２が連続方向Ｌに沿って連続して形成されると共に支持本体部２５ｂから支持本体部２５ａに向かって突出するように上突条２５ｂｓ１及び下突条２５ｂｓ２が連続方向Ｌに沿って連続して形成されている。
【００２１】
連結部２６は、支持部２５に連なり連続方向Ｌに沿った中空の角棒状の形状を支持部２５と共に形成する上部分２６ａと、上部分２６ａから取付部２２に連なるように一対の平板部材により形成された下部分２６ｂａ、２６ｂｂと、を有してなる。上部分２６ａは円柱の側面に略沿う形状の連続方向Ｌに沿った一対の凹条２６ｄａ、２６ｄｂを有している。また、上部分２６ａは下部分２６ｂａ側と下部分２６ｂｂ側とを連続方向Ｌに沿って連続して連結することで補強する補強部２６ｎを有している。
【００２２】
次いで、第１本支持具２１の使用方法について説明する。
図５は第１本支持具２１が取り付けられる一例の折板屋根１０１を示す概略図であり、詳細には、図５（ａ）は折板屋根１０１の一部省略平面図（屋根の上方から見たところを示している。）であり、図５（ｂ）は後述の畝１０３が連続する畝方向Ｔに対して垂直な平面による断面図（一例を図５（ａ）中にＵ−Ｕ断面として示す。）である。図５を参照して、折板屋根１０１について簡単に説明する。折板屋根１０１は、ここでは薄い鋼板により構成され、畝方向Ｔに対して垂直な平面によるいずれの断面も図５（ｂ）と同じ形状及び構造を有している。折板屋根１０１には、畝方向Ｔに沿った畝１０３が一定間隔Ｘ毎に形成されており、畝１０３同士の間には底部１０９が存している。かかる折板屋根１０１は図示しない屋根支持物により支持されることで工場や店舗の屋根として広く用いられている。
畝１０３は、畝方向Ｔに対して垂直ないずれの断面においても同じ等脚台形の両脚に略沿った外面を有する一対の側面１０７ａ、１０７ｂと、一対の側面１０７ａ、１０７ｂの間に形成された頂面１０５と、を有してなる。後述するように、このような畝１０３に第１本支持具２１を取り付けて使用する。
【００２３】
図６は第１本支持具２１の使用方法の第１工程を示す図である。図６を参照して第１本支持具２１の使用方法の第１工程について説明する。なお、これ以降は図示及び理解を容易にするため、図６（ａ）のように、図５にて示した折板屋根１０１の一部（例えば、図５（ａ）中の一点鎖線Ｖにより囲まれた部分）に第１本支持具２１を取り付けたところを示すが、実際には畝方向Ｔに沿った自由な長さに本支持具１１を取り付ける（取り付けたい畝方向Ｔに沿った長さに第１本支持具２１の連続方向Ｌの寸法を合わせる）ことができる（勿論、畝方向Ｔの全長にわたって畝１０３に第１本支持具２１を取り付けるようにしてもよい。）。
図６（ａ）に示す一対の側面１０７ａ、１０７ｂとその間に形成された頂面１０５とによって形成される畝１０３に第１本支持具２１を取り付ける場合、側面１０７ａ、１０７ｂに内面２３ａ、２３ｂがうまく当接する第１本支持具２１を準備する（このとき第１本支持具２１を切断等することで連続方向Ｌの寸法も調節してもよい。）。そして、内面２３ａ、２３ｂが当接する側面１０７ａ、１０７ｂの部分に接着剤（例えば、住友スリーエム株式会社製の商品名「３Ｍ  Ｓｃｏｔｃｈ-Ｗｅｌｄ  メタルグリップ」等を用いることができる。）を塗布した後、かかる第１本支持具２１の連続方向Ｌと畝方向Ｔとが略平行になるようにして、図６（ｂ）に示すように側面１０７ａ、１０７ｂに内面２３ａ、２３ｂが当接するように第１本支持具２１を畝１０３に跨がらせるように配置する。その後、内面２３ａ、２３ｂと側面１０７ａ、１０７ｂとの間の接着剤が硬化すれば、第１本支持具２１が折板屋根１０１の畝１０３に固定される。
【００２４】
図７は第１本支持具２１の使用方法の第２工程を示す図である。図７を参照して第１本支持具２１の使用方法の第２工程について説明する。図６（ｂ）に示す通り第１本支持具２１が折板屋根１０１の畝１０３に接着固定された後、第１本支持具２１の嵌入溝２４にナット２０１を必要数だけ嵌入する。ここにナット２０１は、第１本支持具２１の嵌入溝２４の連続方向Ｌの一端から上突条２５ａｓ１、２５ｂｓ１と下突条２５ａｓ２、２５ｂｓ２との間の空間に嵌入される。ナット２０１は上突条２５ａｓ１、２５ｂｓ１の間の隙間と下突条２５ａｓ２、２５ｂｓ２の間の隙間のいずれの隙間も通過不可能であるので、上突条２５ａｓ１、２５ｂｓ１と下突条２５ａｓ２、２５ｂｓ２との間の空間に保持される（ナット２０１は該空間内においては連続方向Ｌに沿ってスライド自在である。）。更に、上突条２５ａｓ１、２５ｂｓ１と下突条２５ａｓ２、２５ｂｓ２との間の空間に保持されたナット２０１に、上突条２５ａｓ１、２５ｂｓ１の間の隙間からボルト２０３を螺合させる。このボルト２０３を用いて種々な支持物（例えば、太陽電池パネル）を第１本支持具２１に固定することができる。このとき必要に応じ、ナット２０１を連続方向Ｌに沿ってスライドさせ位置を調節したり、ボルト２０３にさらにナット２０５を螺合させ用いることもできるので、容易かつ確実に支持物を第１本支持具２１を介して折板屋根１０１（畝１０３）に支持させることができる。
【００２５】
（第２実施形態）
図８は、本発明の第２実施形態に係る第２の支持具（第２本支持具）１１の斜視図であり、図９は第２本支持具１１の正面図（図８中の矢印Ａ方向から見たところを示している。）であり、図１０は第２本支持具１１の平面図（図８中の矢印Ｂ方向から見たところを示している。）であり、そして図１１は図１０のＹ−Ｙ断面図である。
図１２は第２本支持具１１を構成するカバー部５１の斜視図であり、図１３はカバー部５１の正面図（図１２中の矢印Ｃ方向から見たところを示している。）であり、図１４はカバー部５１の平面図（図１２中の矢印Ｄ方向から見たところを示している。）であり、そして図１５は図１４のＹ−Ｙ断面図である。
図８乃至図１５を参照して、第２本支持具１１について説明する。
【００２６】
第２本支持具１１は、大まかには、第１本支持具２１と、第１本支持具２１に取り付けられた一対のカバー部５１と、を備えてなり、折板屋根（不図示）の上に固定されて支持物（不図示）を支持するために用いられる。
第２本支持具１１に含まれる第１本支持具２１は、前述の第１実施形態に係る第１本支持具２１と同様のものであるのでここでは詳しい説明を省略する（必要があれば前記の第１本支持具２１の説明を参照されたい。）。なお、理解を容易にするため、前記の第１本支持具２１の説明において付した参照番号を、図８乃至図１１における同じ要素にも付している。
【００２７】
カバー部５１は第２本支持具１１に一対（２個）備えられるが（一対（２個）をなすカバー部５１のうち片方のものを図１２乃至図１５に示している。）、いずれも同じものを用いている。
なお、第２本支持具１１の連続方向（図中、矢印Ｌとして示す。連続方向Ｌは通常は長手方向である。）に沿った寸法は、第２本支持具１１を固定する折板屋根（不図示）の畝の長さや支持物（不図示）の寸法に応じて適宜定められるが、ここでは図示や理解を容易にするため該寸法を短く示している。また、第２本支持具１１は、平面Ｐに対して面対称に略なっている（平面Ｐが対称面をなす。なお、平面Ｐは連続方向Ｌに対して平行な平面である。）。
【００２８】
上述の如く、カバー部５１は第２本支持具１１に同じものが左右一対（２個）備えられる。カバー部５１は、ここではアルミニウムの押し出し形材（連続方向Ｌに沿って押し出し成形される。）により一体に形成されており、連続方向Ｌに対して垂直ないずれの断面も図１５と同じ断面形状（図１３の正面形状と同じ）を有している。
カバー部５１は、仮想上の平面Ｑに沿うように連続方向Ｌに沿って連続して形成された一縁部５３と、仮想上の平面Ｑに沿うように連続方向Ｌに沿って連続して形成された他縁部５５と、外面５２ｃが連続方向Ｌに沿って連続する凸条を形成するように一縁部５３と他縁部５５とを連結するカバー本体部５２と、カバー本体部５２の外面５２ｃの他縁部５５近傍に他縁部５５に対して略平行に連続方向Ｌに沿って連続して形成された当接突条５７と、を有してなる。
図８乃至図１１に示した通り、一縁部５３が一縁嵌入溝２３ｃａ１に連続方向Ｌに沿って嵌入され、他縁部５５が他縁嵌入溝２３ｃａ２に連続方向Ｌに沿って嵌入されると共に当接突条５７が取付板２２ａの外面（下縁近傍）に連続方向Ｌに沿って当接することでカバー部５１が取付板２２ａに取り付けられる。同様に、一縁部５３が一縁嵌入溝２３ｃｂ１に連続方向Ｌに沿って嵌入され、他縁部５５が他縁嵌入溝２３ｃｂ２に連続方向Ｌに沿って嵌入されると共に当接突条５７が取付板２２ｂの外面（下縁近傍）に連続方向Ｌに沿って当接することでカバー部５１が取付板２２ｂに取り付けられている。
【００２９】
図１６は第２本支持具１１の使用方法を示す図である。図１６を参照して第２本支持具１１の使用方法について説明する。ここでは前述の図６（ａ）に示す一対の側面１０７ａ、１０７ｂとその間に形成された頂面１０５とによって形成される畝１０３に第２本支持具１１を取り付ける場合を例として説明する。
まず、前述の第１本支持具２１の使用方法と同様、側面１０７ａ、１０７ｂに内面２３ａ、２３ｂがうまく当接する第１本支持具２１を準備する（第１本支持具２１を切断等することで連続方向Ｌの寸法を調節してもよい。）。そして、かかる第１本支持具２１の連続方向Ｌと畝方向Ｔとが略平行になるようにして、図１６に示すように側面１０７ａ、１０７ｂに内面２３ａ、２３ｂが当接するように第１本支持具２１を畝１０３に跨がらせるように配置する。その後、取付板２２ｂの肉薄部２３ｔｂにビス３０１（例えば、日本パワーファスニング株式会社製のシーリングSUS410タッピング（+）HEX6-1.2X25AZW等のようなテックスビスを用いることができる。）を貫通させさらにビス３０１の先端部分を側面１０７ｂにねじ込むことで、ビス３０１によって取付板２２ｂを側面１０７ｂに固定する。同様に、取付板２２ａの肉薄部２３ｔａにビス（図１６に現れない。）を貫通させさらに該ビスの先端部分を側面１０７ａにねじ込むことで、ビスによって取付板２２ａを側面１０７ａに固定する。なお、図１６においては、取付板２２ｂの肉薄部２３ｔｂに１本のビス３０１しか用いていないが、連続方向Ｌに沿って所定間隔（例えば、１０〜２０ｃｍ程度）毎にビス３０１をねじ込むようにしてもよい。
その後、第１本支持具２１の使用方法の第２工程と同様、第１本支持具２１の嵌入溝２４（上突条２５ａｓ１、２５ｂｓ１と下突条２５ａｓ２、２５ｂｓ２との間の空間）にナット２０１を必要数だけ嵌入し保持させる。更に、上突条２５ａｓ１、２５ｂｓ１と下突条２５ａｓ２、２５ｂｓ２との間の空間に保持されたナット２０１に、上突条２５ａｓ１、２５ｂｓ１の間の隙間からボルト２０３を螺合させる。
【００３０】
最後に、図８乃至図１１に示したように、一対のカバー部５１を準備し、カバー部５１の一縁部５３を一縁嵌入溝２３ｃａ１に連続方向Ｌに沿って嵌入し、他縁部５５を他縁嵌入溝２３ｃａ２に連続方向Ｌに沿って嵌入すると共に当接突条５７を取付板２２ａの外面（下縁近傍）に連続方向Ｌに沿って当接させることでカバー部５１を取付板２２ａに取り付ける。同様に、カバー部５１の一縁部５３を一縁嵌入溝２３ｃｂ１に連続方向Ｌに沿って嵌入し、他縁部５５を他縁嵌入溝２３ｃｂ２に連続方向Ｌに沿って嵌入すると共に当接突条５７を取付板２２ｂの外面（下縁近傍）に連続方向Ｌに沿って当接させることでカバー部５１を取付板２２ｂに取り付ける。
以上のようにして取り付けられた第２本支持具１１に、それに取り付けられたボルト２０３を用いて種々な支持物（例えば、太陽電池パネル）を固定することができる。このとき必要に応じ、ナット２０１を連続方向Ｌに沿ってスライドさせ位置を調節したり、ボルト２０３にさらにナット２０５を螺合させ用いることもできるので、容易かつ確実に支持物を第２本支持具１１を介して折板屋根１０１（畝１０３）に支持させることができる。
また、第２本支持具１１においては、ビス３０１により取付板２２ａ、２２ｂを側面１０７ａ、１０７ｂに確実かつ強固に固定することができる。また、第２本支持具１１においてはビス３０１が取付板２２ａ、２２ｂを貫通し折板屋根１０１の側面１０７ａ、１０７ｂにねじ込まれているが、一対のカバー部５１によりビス３０１に雨水が接触しないので、側面１０７ａ、１０７ｂにビス３０１が穿設した穿孔からの雨漏りや錆の発生を防止又は減少させることができる。
【００３１】
第１本支持具２１及び第２本支持具１１のいずれも、一対の側面１０７ａ、１０７ｂによって形成される折板屋根１０１の畝１０３に上述の如く取り付けられることにより折板屋根１０１を梁のように補強する効果も奏するので、例えば、折板屋根１０１のみでは支持できなかった支持物を、第１本支持具２１又は第２本支持具１１を折板屋根１０１に取り付けることにより支持可能ならしめることができる。
更に、第１本支持具２１及び第２本支持具１１のいずれも、それに取り付けられたボルト２０３を用いて様々な支持物をうまく固定することができるので、折板屋根１０１に支持物を固定するのに汎用することができる。
加えて、第１本支持具２１及び第２本支持具１１のいずれも、ここではアルミニウムにより形成されているので軽量かつ高耐久性を有する。
【００３２】
以上説明した通り、第１本支持具２１（第２本支持具１１に含まれる第１本支持具２１も同様）は、所定方向である畝方向Ｔに連続し、畝方向Ｔに対して垂直な任意の平面による断面（例えば、図５（ｂ））において頂部（ここでは頂面１０５）とその両側に存する一対の側面（ここでは側面１０７ａ、１０７ｂ）とを有する同じ外面形状を有する畝部（ここでは畝１０３）の外面に取り付けられ、支持物を支持する支持具であって、該一対の側面（側面１０７ａ、１０７ｂ）のうちの一方側面（側面１０７ａ）に連続して当接する一方当接面（ここでは内面２３ａ）を有する一方側面板（ここでは取付板２２ａ）と、該一対の側面（側面１０７ａ、１０７ｂ）のうちの他方側面（側面１０７ｂ）に連続して当接する他方当接面（ここでは内面２３ｂ）を有する他方側面板（ここでは取付板２２ｂ）と、を含み、頂部（頂面１０５）に跨がるように取り付けられる取付部（ここでは取付部２２）と、支持物を直接又は間接に固定すると共に取付部に対して直接又は間接（ここでは連結部２６を介して間接に取り付けられる）に取り付けられる支持部２５と、を備えてなる、支持具である。
【００３３】
第１本支持具２１（第２本支持具１１に含まれる第１本支持具２１も同様）は、一方側面板（取付板２２ａ）の両主表面のうち一方当接面（ここでは内面２３ａ）を形成する内面２３ａとは反対の外面のうち一方当接面（内面２３ａ）の裏面の少なくとも一部を覆う一方覆い部材（ここではカバー部５１）を係止する一方覆い係止部（ここでは一縁嵌入溝２３ｃａ１と他縁嵌入溝２３ｃａ２）を有し、及び他方側面板（取付板２２ｂ）の両主表面のうち他方当接面（内面２３ｂ）を形成する内面２３ｂとは反対の外面のうち他方当接面（内面２３ｂ）の裏面の少なくとも一部を覆う他方覆い部材（ここではカバー部５１）を係止する他方覆い係止部（ここでは一縁嵌入溝２３ｃｂ１と他縁嵌入溝２３ｃｂ２）を有するものである。
第１本支持具２１（第２本支持具１１に含まれる第１本支持具２１も同様）においては、一方覆い係止部（一縁嵌入溝２３ｃａ１と他縁嵌入溝２３ｃａ２）が前記支持具（第１本支持具２１）が畝部（畝１０３）に取り付けられる際に畝方向Ｔと略平行な一対の溝により形成されている。そして、他方覆い係止部（一縁嵌入溝２３ｃｂ１と他縁嵌入溝２３ｃｂ２）が、前記支持具（第１本支持具２１）が畝部（畝１０３）に取り付けられる際に畝方向Ｔと略平行な一対の溝により形成されている。
第１本支持具２１（第２本支持具１１に含まれる第１本支持具２１も同様）においては、一方覆い部材（一縁嵌入溝２３ｃａ１と他縁嵌入溝２３ｃａ２に嵌入されるカバー部５１）が前記一対の溝（一縁嵌入溝２３ｃａ１と他縁嵌入溝２３ｃａ２）に嵌入される一対の突条（ここでは一縁部５３、他縁部５５）を有し、該一対の突条（一縁部５３、他縁部５５）を前記一対の溝（一縁嵌入溝２３ｃａ１、他縁嵌入溝２３ｃａ２）から畝方向Ｔに対して垂直方向に抜き取ることが一方覆い部材（カバー部５１）の変形（具体的には、該一対の突条（一縁部５３、他縁部５５）の間の距離が縮まるような変形）を要する。同様に、第１本支持具２１（第２本支持具１１に含まれる第１本支持具２１も同様）においては、他方覆い部材（一縁嵌入溝２３ｃｂ１と他縁嵌入溝２３ｃｂ２に嵌入されるカバー部５１）が前記一対の溝（一縁嵌入溝２３ｃｂ１と他縁嵌入溝２３ｃｂ２）に嵌入される一対の突条（ここでは一縁部５３、他縁部５５）を有し、該一対の突条（一縁部５３、他縁部５５）を前記一対の溝（一縁嵌入溝２３ｃｂ１、他縁嵌入溝２３ｃｂ２）から畝方向Ｔに対して垂直方向に抜き取ることが他方覆い部材（カバー部５１）の変形（具体的には、該一対の突条（一縁部５３、他縁部５５）の間の距離が縮まるような変形）を要するものである。
【００３４】
第１本支持具２１（第２本支持具１１に含まれる第１本支持具２１も同様）においては、支持部２５が支持物を固定する位置が畝方向Ｔに沿って連続的に可変である（ナット２０１は連続方向Ｌに沿ってスライド自在であるので、これにより支持物を固定する位置を畝方向Ｔに沿って自由に調節できる。）。
第１本支持具２１（第２本支持具１１に含まれる第１本支持具２１も同様）においては、支持部２５が、支持物を固定するための固定具（ここではナット２０１）を畝方向Ｔに沿ってスライド自在に保持する固定具保持溝（ここでは上突条２５ａｓ１、２５ｂｓ１と下突条２５ａｓ２、２５ｂｓ２との間の空間）を有するものである。
【００３５】
第２本支持具１１により支持物を支持する構造は、畝部（畝１０３）と、第１本支持具２１と、一方覆い係止部（一縁嵌入溝２３ｃａ１、他縁嵌入溝２３ｃａ２）に係止された一方覆い部材（カバー部５１）と、他方覆い係止部（一縁嵌入溝２３ｃｂ１、他縁嵌入溝２３ｃｂ２）に係止された他方覆い部材（カバー部５１）と、一方覆い部材（カバー部５１）により覆われた一方側面板（取付板２２ａ）の外面の部分と内面２３ａとを貫通し一方側面板（取付板２２ａ）と一方側面（側面１０７ａ）とを連結する一方貫通部材（ここではビス３０１）と、他方覆い部材（カバー部５１）により覆われた他方側面板（取付板２２ｂ）の外面の部分と内面２３ｂとを貫通し他方側面板（取付板２２ｂ）と他方側面（側面１０７ｂ）とを連結する他方貫通部材（ここではビス３０１）と、を備えてなる、支持物を支持する支持構造であり、この支持構造によって支持部２５が支持物（例えば、太陽電池パネル）を支持するものである。
第２本支持具１１により支持物を支持する構造においては、畝部（畝１０３）が折板屋根１０１の上面に形成され、支持物が太陽電池パネルである。
【００３６】
第１本支持具２１は、一方覆い部材（一縁嵌入溝２３ｃａ１と他縁嵌入溝２３ｃａ２に嵌入されるカバー部５１）及び／又は他方覆い部材（一縁嵌入溝２３ｃｂ１と他縁嵌入溝２３ｃｂ２に嵌入されるカバー部５１）と、第１本支持具２１と、を含んでなる第２本支持具１１を形成するためのセットとして譲渡や製造等がなされてもよい。
そして、カバー部５１は、第１本支持具２１に係止される前記一対の突条（一縁部５３、他縁部５５）を有する一方覆い部材（一縁嵌入溝２３ｃａ１と他縁嵌入溝２３ｃａ２に嵌入されるカバー部５１）又は他方覆い部材（一縁嵌入溝２３ｃｂ１と他縁嵌入溝２３ｃｂ２に嵌入されるカバー部５１）であって、一方側面板（取付板２２ａ）又は他方側面板（取付板２２ｂ）の外面に面する面（内面５８）のうち、該一対の突条（一縁部５３、他縁部５５）の間の少なくとも一部（ここでは全部）が一方側面板（取付板２２ａ）又は他方側面板（取付板２２ｂ）の外面から該一対の突条（一縁部５３、他縁部５５）よりも遠ざかっている部分を有するものである、一方覆い部材又は他方覆い部材である。
【符号の説明】
【００３７】
１１                    第２本支持具
２１                    第１本支持具
２２                    取付部
２２ａ、２２ｂ          取付板
２３ａ、２３ｂ          内面
２３ｃａ１、２３ｃｂ１  一縁嵌入溝
２３ｃａ２、２３ｃｂ２  他縁嵌入溝
２３ｄａ、２３ｄｂ      窪み
２３ｔａ、２３ｔｂ      肉薄部
２４                    嵌入溝
２５                    支持部
２５ａ、２５ｂ          支持本体部
２５ａａ、２５ｂａ      上面
２５ａｓ１、２５ｂｓ１  上突条
２５ａｓ２、２５ｂｓ２  下突条
２６                    連結部
２６ａ                  上部分
２６ｂａ、２６ｂｂ      下部分
２６ｄａ、２６ｄｂ      凹条
２６ｎ                  補強部
５１                    カバー部
５２                    カバー本体部
５２ｃ                  外面
５３                    一縁部
５５                    他縁部
５７                    当接突条
５８                    内面
１０１                    折板屋根
１０３                    畝
１０５                    頂面
１０７ａ、１０７ｂ        側面
１０９                    底部
２０１                    ナット
２０３                    ボルト
２０５                    ナット
３０１                    ビス
【図１】
2015090040.tif 000003
【図２】
2015090040.tif 000004
【図３】
2015090040.tif 000005
【図４】
2015090040.tif 000006
【図５】
2015090040.tif 000007
【図６】
2015090040.tif 000008
【図７】
2015090040.tif 000009
【図８】
2015090040.tif 000010
【図９】
2015090040.tif 000011
【図１０】
2015090040.tif 000012
【図１１】
2015090040.tif 000013
【図１２】
2015090040.tif 000014
【図１３】
2015090040.tif 000015
【図１４】
2015090040.tif 000016
【図１５】
2015090040.tif 000017
【図１６】
2015090040.tif 000018